(57)【特許請求の範囲】
【請求項１】
マルチチャネルワイヤレス通信システム中で、パケット送信をスケジューリングする方法において、
空間分割多元接続（ＳＤＭＡ）スキームを介して、複数のワイヤレスネットワークノードと同時に通信するために利用可能なチャネルの識別を受信することと、
前記チャネルの識別に基づいて、前記ワイヤレスネットワークノードに対するパケット送信のためのスケジュールを決定することと、
前記スケジュールにしたがって、前記ＳＤＭＡスキームを介して、少なくともいくつかの前記ワイヤレスネットワークノードに対して同時に、ダウンリンクパケットを送信することと
を含み、
前記ダウンリンクパケットは、複数のチャネル上で同時に、少なくとも１つの前記ワイヤレスネットワークノードに対して送信され、
前記チャネルの識別は、複数のワイヤレスネットワークノードから単一の主通信チャネル上で受信され、
前記受信することは、アップリンクＳＤＭＡ送信として、前記単一の主通信チャネル上で、複数のノードからの利用可能なチャネルのリストを受信することを含む、方法。
【請求項２】
前記複数のワイヤレスネットワークノードに対して、前記ワイヤレスネットワークノードと通信するために利用可能なチャネルの識別に対する要求メッセージを送ることと、
前記要求メッセージに応答して、前記複数のワイヤレスネットワークノードと通信するために利用可能なチャネルの識別を受信することと
を含む、請求項１記載の方法。
【請求項３】
前記要求メッセージは、複数のワイヤレスネットワークノードに対する、マルチキャストメッセージとブロードキャストメッセージとのうちの少なくとも１つを含む、請求項２に記載の方法。
【請求項４】
前記要求メッセージは、複数のワイヤレスノードが、時間的に互いにずれた応答で、前記マルチキャストメッセージに応答すべきであることを示す情報を含む、請求項３記載の方法。
【請求項５】
前記要求メッセージは、少なくともいくつかの前記複数のワイヤレスノードが同時に、前記マルチキャストメッセージに応答すべきであることを示す情報を含む、請求項３記載の方法。
【請求項６】
アップリンクＳＤＭＡ送信として、単一の主通信チャネル上で同時に、複数のノードからの利用可能なチャネルのリストを受信することをさらに含む、請求項１記載の方法。
【請求項７】
前記ＳＤＭＡスキームを介して、少なくともいくつかの前記ワイヤレスネットワークノードに対して、ダウンリンクパケットを同時に送信することは、前記ＳＤＭＡスキームを介して同時に、少なくとも２つの前記ノードに対するダウンリンクパケットを、複数のチャネル上で送信することをさらに含む、請求項１記載の方法。
【請求項８】
複数のノードからの肯定応答メッセージを、アップリンクＳＤＭＡ送信として、単一の主通信チャネル上で同時に受信することをさらに含む、請求項１記載の方法。
【請求項９】
マルチチャネルワイヤレス通信システム中で、パケット送信を交換する方法において、
アップリンク空間分割多元接続（ＳＤＭＡ）送信として、ワイヤレスネットワークノードと通信するために利用可能な１つ以上のチャネルの識別を送ることと、
少なくとも１つの識別された通信チャネル上で、ダウンリンクＳＤＭＡ送信を受信することと
を含み、
前記チャネルの識別は、複数のワイヤレスネットワークノードから単一の主通信チャネル上で送られ、
前記送ることは、アップリンクＳＤＭＡ送信として、前記単一の主通信チャネル上で、利用可能なチャネルのリストを送信することを含む、方法。
【請求項１０】
前記ワイヤレスネットワークノードと通信するために利用可能な１つ以上のチャネルの識別を要求する要求メッセージを受信することをさらに含む、請求項９記載の方法。
【請求項１１】
前記要求は、複数のワイヤレスネットワークノードに送信される、マルチキャストメッセージおよびブロードキャストメッセージのうちの少なくとも１つを含む、請求項１０記載の方法。
【請求項１２】
前記要求メッセージは、少なくともいくつかの前記複数のワイヤレスノードが同時に、前記マルチキャストメッセージに応答すべきであることを示す情報を含む、請求項１０記載の方法。
【請求項１３】
前記要求メッセージは、複数のワイヤレスノードが、時間的に互いにずれた応答で、前記要求メッセージに応答すべきであることを示す情報を含む、請求項１０記載の方法。
【請求項１４】
前記要求メッセージは、単一の主通信チャネル上で送られるべき、複数のノードからのチャネルの識別を示す、請求項１０記載の方法。
【請求項１５】
１つ以上のＩＥＥＥ８０２．１１系の標準規格と互換性のあるフォーマットを有している送信可（ＣＴＳ）メッセージで、前記要求メッセージに応答することをさらに含む、請求項１０記載の方法。
【請求項１６】
マルチチャネルワイヤレスネットワーク中で、パケット送信をスケジューリングする方法において、
複数のワイヤレスネットワークノードと通信するために、利用可能なチャネルを識別するアップリンク空間分割多元接続（ＳＤＭＡ）送信を受信することと、
前記チャネルの識別に基づいて、前記ワイヤレスネットワークノードに対するパケット送信のためのスケジュールを決定することと、
前記ワイヤレスネットワークノードに前記スケジュールを通信することと
を含み、
前記チャネルの識別は、複数のワイヤレスネットワークノードから単一の主通信チャネル上で受信され、
前記受信することは、アップリンクＳＤＭＡ送信として、前記単一の主通信チャネル上で、複数のノードからの利用可能なチャネルのリストを受信することを含む、方法。
【請求項１７】
マルチチャネルワイヤレスネットワーク中で、パケット送信を交換する方法において、
前記ワイヤレスネットワークと通信するために、利用可能な２つ以上のチャネルの識別を、少なくとも１つのネットワークノードから送ることと、
前記チャネルの識別に基づいて発生された、前記ワイヤレスネットワークと通信するためのスケジュールを受信することと、
前記スケジュールにしたがって、少なくとも２つの識別されたチャネル上で同時に、前記少なくとも１つのワイヤレスネットワークノードと、前記ワイヤレスネットワークとの間で通信することと
を含み、
前記チャネルの識別は、複数のワイヤレスネットワークノードから単一の主通信チャネル上で送られ、
前記送ることは、アップリンクＳＤＭＡ送信として、前記単一の主通信チャネル上で、利用可能なチャネルのリストを送信することを含む、方法。
【請求項１８】
マルチチャネルワイヤレス通信システム中で、パケット送信をスケジューリングする装置において、
空間分割多元接続（ＳＤＭＡ）スキームを介して、複数のワイヤレスネットワークノードと同時に通信するために利用可能なチャネルの識別を受信する手段と、
前記チャネルの識別に基づいて、前記ワイヤレスネットワークノードに対するパケット送信のためのスケジュールを決定する手段と、
前記スケジュールにしたがって、前記ＳＤＭＡスキームを介して、少なくともいくつかの前記ワイヤレスネットワークノードに対して同時に、ダウンリンクパケットを送信する手段と
を具備し、
前記ダウンリンクパケットは、複数のチャネル上で同時に、少なくとも１つの前記ワイヤレスネットワークノードに対して送信され、
前記チャネルの識別は、複数のワイヤレスネットワークノードから単一の主通信チャネル上で受信され、
前記受信する手段は、アップリンクＳＤＭＡ送信として、前記単一の主通信チャネル上で、複数のノードからの利用可能なチャネルのリストを受信する手段を含む、
装置。
【請求項１９】
前記複数のワイヤレスネットワークノードに対して、前記ワイヤレスネットワークノードと通信するために利用可能なチャネルの識別に対する要求メッセージを送る手段をさらに具備する、請求項１８記載の装置。
【請求項２０】
前記要求メッセージは、複数のワイヤレスネットワークノードに対する、マルチキャストメッセージとブロードキャストメッセージとのうちの少なくとも１つを含む、請求項１９記載の装置。
【請求項２１】
前記要求メッセージは、複数のワイヤレスノードが、時間的に互いにずれた応答で、前記マルチキャストメッセージに応答すべきであることを示す情報を含む、請求項２０記載の装置。
【請求項２２】
前記要求メッセージは、少なくともいくつかの前記複数のワイヤレスノードが同時に、前記マルチキャストメッセージに応答すべきであることを示す情報を含む、請求項２０記載の装置。
【請求項２３】
アップリンクＳＤＭＡ送信として、単一の主通信チャネル上で同時に、複数のノードからの利用可能なチャネルのリストを受信する手段をさらに具備する、請求項１８記載の装置。
【請求項２４】
前記ＳＤＭＡスキームを介して、少なくともいくつかの前記ワイヤレスネットワークノードに対して、ダウンリンクパケットを同時に送信する手段は、前記ＳＤＭＡスキームを介して、少なくとも２つの前記ノードに対するダウンリンクパケットを、複数のチャネル上で同時に送信するようにさらに構成されている、請求項１８記載の装置。
【請求項２５】
複数のノードからの肯定応答メッセージを、アップリンクＳＤＭＡ送信として、単一の主通信チャネル上で同時に受信する手段をさらに具備する、請求項１８記載の装置。
【請求項２６】
マルチチャネルワイヤレス通信システム中で、パケット送信を交換する装置において、
ワイヤレスネットワークノードと通信するために利用可能な１つ以上のチャネルの識別を含むアップリンク空間分割多元接続（ＳＤＭＡ）送信を送る手段と、
少なくとも１つの識別された通信チャネル上で、ダウンリンクＳＤＭＡ送信を受信する手段と
を具備し、
前記チャネルの識別は、複数のワイヤレスネットワークノードから単一の主通信チャネル上で送られ、
前記送る手段は、アップリンクＳＤＭＡ送信として、前記単一の主通信チャネル上で、利用可能なチャネルのリストを送信する手段を含む、装置。
【請求項２７】
前記ワイヤレスネットワークノードと通信するために利用可能な１つ以上のチャネルの識別を要求する要求メッセージを受信する手段をさらに具備する、請求項２６記載の装置。
【請求項２８】
前記要求は、複数のワイヤレスネットワークノードに送信される、マルチキャストメッセージおよびブロードキャストメッセージのうちの少なくとも１つを含む、請求項２７記載の装置。
【請求項２９】
前記要求メッセージは、少なくともいくつかの前記複数のワイヤレスノードが同時に、前記マルチキャストメッセージに応答すべきであることを示す情報を含む、請求項２７記載の装置。
【請求項３０】
前記要求メッセージは、複数のワイヤレスノードが、時間的に互いにずれた応答で、前記要求メッセージに応答すべきであることを示す情報を含む、請求項２７記載の装置。
【請求項３１】
前記要求メッセージは、単一の主通信チャネル上で送られるべき、複数のノードからのチャネルの識別を示す、請求項２７記載の装置。
【請求項３２】
１つ以上のＩＥＥＥ８０２．１１系の標準規格と互換性のあるフォーマットを有している送信可（ＣＴＳ）メッセージで、前記要求メッセージに応答する手段をさらに具備する、請求項２７に記載の装置。
【請求項３３】
マルチチャネルワイヤレスネットワーク中で、パケット送信をスケジューリングする装置において、
複数のワイヤレスネットワークノードと通信するために、利用可能なチャネルを識別するアップリンク空間分割多元接続（ＳＤＭＡ）送信を受信する手段と、
前記チャネルの識別に基づいて、前記ワイヤレスネットワークノードに対するパケット送信のためのスケジュールを決定する手段と、
前記ワイヤレスネットワークノードに前記スケジュールを通信する手段とを具備し、
前記チャネルの識別は、複数のワイヤレスネットワークノードから単一の主通信チャネル上で受信され、
前記受信する手段は、アップリンクＳＤＭＡ送信として、前記単一の主通信チャネル上で、複数のノードからの利用可能なチャネルのリストを受信する手段を含む、装置。
【請求項３４】
マルチチャネルワイヤレスネットワーク中で、パケット送信を交換する装置において、
前記ワイヤレスネットワークと通信するために、利用可能な２つ以上のチャネルの識別を送る手段と、
前記チャネルの識別に基づいて発生された、前記ワイヤレスネットワークと通信するためのスケジュールを受信する手段と、
前記スケジュールにしたがって、少なくとも２つの識別されたチャネル上で同時に、前記ワイヤレスネットワークと通信する手段とを具備し、
前記チャネルの識別は、複数のワイヤレスネットワークノードから単一の主通信チャネル上で送られ、
前記送る手段は、アップリンクＳＤＭＡ送信として、前記単一の主通信チャネル上で、利用可能なチャネルのリストを送信する手段を含む、装置。
【請求項３５】
マルチチャネルワイヤレス通信システム中で、パケット送信をスケジューリングする装置において、
空間分割多元接続（ＳＤＭＡ）スキームを介して、複数のワイヤレスネットワークノードと同時に通信するために利用可能なチャネルの識別を受信するように構成されている受信機と、
前記チャネルの識別に基づいて、前記ワイヤレスネットワークノードに対するパケット送信のためのスケジュールを決定するように構成されているスケジューラと、
前記スケジュールにしたがって、前記ＳＤＭＡスキームを介して、少なくともいくつかの前記ワイヤレスネットワークノードに対して同時に、ダウンリンクパケットを送信するように構成されている送信機とを具備し、
前記ダウンリンクパケットは、複数のチャネル上で同時に、少なくとも１つの前記ワイヤレスネットワークノードに対して送信され、
前記チャネルの識別は、複数のワイヤレスネットワークノードから単一の主通信チャネル上で受信され、
前記受信器は、アップリンクＳＤＭＡ送信として、前記単一の主通信チャネル上で、複数のノードからの利用可能なチャネルのリストを受信する、装置。
【請求項３６】
マルチチャネルワイヤレス通信システム中で、パケット送信を交換する装置において、
ワイヤレスネットワークノードと通信するために利用可能な１つ以上のチャネルの識別を送るように構成されており、前記識別は、アップリンク空間分割多元接続（ＳＤＭＡ）送信として送られる送信機と、
少なくとも１つの識別された通信チャネル上で、ダウンリンクＳＤＭＡ送信を受信するように構成されている受信機とを具備し、
前記チャネルの識別は、複数のワイヤレスネットワークノードから単一の主通信チャネル上で送られ、
前記送信器は、アップリンクＳＤＭＡ送信として、前記単一の主通信チャネル上で、利用可能なチャネルのリストを送信する、装置。
【請求項３７】
マルチチャネルワイヤレスネットワーク中で、パケット送信をスケジューリングする装置において、
複数のワイヤレスネットワークノードと通信するために、利用可能なチャネルを識別するアップリンク空間分割多元接続（ＳＤＭＡ）送信を受信するように構成されている受信機と、
前記チャネルの識別に基づいて、前記ワイヤレスネットワークノードに対するパケット送信のためのスケジュールを決定するように構成されているスケジューラと、
前記ワイヤレスネットワークノードに前記スケジュールを通信するように構成されている送信機とを具備し、
前記チャネルの識別は、複数のワイヤレスネットワークノードから単一の主通信チャネル上で受信され、
前記受信器は、アップリンクＳＤＭＡ送信として、前記単一の主通信チャネル上で、複数のノードからの利用可能なチャネルのリストを受信する、装置。
【請求項３８】
マルチチャネルワイヤレスネットワーク中で、パケット送信を交換する装置において、
前記ワイヤレスネットワークと通信するために、利用可能な１つ以上のチャネルの識別を送るように構成されている送信機と、
前記チャネルの識別に基づいて発生された、前記ワイヤレスネットワークと通信するためのスケジュールを受信するように構成されている受信機と、
前記スケジュールにしたがって、少なくとも２つの識別されたチャネル上で同時に、前記ワイヤレスネットワークと通信するように構成されているロジックとを具備し、
前記チャネルの識別は、複数のワイヤレスネットワークノードから単一の主通信チャネル上で送られ、
前記送信器は、アップリンクＳＤＭＡ送信として、前記単一の主通信チャネル上で、利用可能なチャネルのリストを送信する、装置。
【請求項３９】
マルチチャネルワイヤレスネットワーク中で、パケット送信をスケジューリングするための記憶されている命令を備えるコンピュータ読取可能記憶媒体において、
前記命令は、１つ以上のプロセッサによって実行可能であり、前記命令は、
複数のワイヤレスネットワークノードと通信するために、利用可能なチャネルの識別を受信させ、前記識別は、アップリンク空間分割多元接続（ＳＤＭＡ）送信として送信され、
前記チャネルの識別に基づいて、前記ワイヤレスネットワークノードに対するパケット送信のためのスケジュールを決定させ、
前記ワイヤレスネットワークノードに前記スケジュールを通信させるための命令を含み、
前記チャネルの識別は、複数のワイヤレスネットワークノードから単一の主通信チャネル上で受信され、
前記受信させることは、アップリンクＳＤＭＡ送信として、前記単一の主通信チャネル上で、複数のノードからの利用可能なチャネルのリストを受信させることを含む、コンピュータ読取可能記憶媒体。
【請求項４０】
マルチチャネルワイヤレスネットワーク中で、パケット送信を交換するための記憶されている命令を備えるコンピュータ読取可能記憶媒体において、
前記命令は、１つ以上のプロセッサによって実行可能であり、前記命令は、
前記ワイヤレスネットワークと通信するために、利用可能な１つ以上のチャネルの識別を送信させ、前記識別は、アップリンク空間分割多元接続（ＳＤＭＡ）送信として送信され、
前記チャネルの識別に基づいて発生された、前記ワイヤレスネットワークと通信するためのスケジュールを受信させ、
前記スケジュールにしたがって、前記ワイヤレスネットワークと通信させるための命令を含み、
前記チャネルの識別は、複数のワイヤレスネットワークノードから単一の主通信チャネル上で送られ、
前記送信させることは、アップリンクＳＤＭＡ送信として、前記単一の主通信チャネル上で、利用可能なチャネルのリストを送信させることを含む、コンピュータ読取可能記憶媒体。
【請求項４１】
マルチチャネルワイヤレスネットワーク中で、パケット送信を交換するための記憶されている命令を備えるコンピュータ読取可能記憶媒体において、
前記命令は、１つ以上のプロセッサによって実行可能であり、前記命令は、
前記ワイヤレスネットワークと通信するために、利用可能な２つ以上のチャネルの識別を、少なくとも１つのワイヤレスネットワークノードから送信させ、
前記チャネルの識別に基づいて発生された、前記ワイヤレスネットワークと通信するためのスケジュールを受信させ、
前記スケジュールにしたがって、少なくとも２つの識別されたチャネル上で同時に、前記少なくとも１つのワイヤレスネットワークノードと、前記ワイヤレスネットワークとの間で通信させるための命令を含み、
前記チャネルの識別は、複数のワイヤレスネットワークノードから単一の主通信チャネル上で送られ、
前記送信させることは、アップリンクＳＤＭＡ送信として、前記単一の主通信チャネル上で、利用可能なチャネルのリストを送信させることを含む、コンピュータ読取可能記憶媒体。
【発明の詳細な説明】
【関連出願に対する相互参照】
【０００１】
本出願は、２００８年８月２０日に出願された、米国仮特許出願第６１/０９０，５１８号に対する優先権を主張し、これは、ここで、参照により、その全体を組み込まれている。
【背景】
【０００２】
ワイヤレス通信システムに対して要求されている増加する帯域幅要求の問題に対処するために、高データスループットを達成しつつ、同一のチャネル（同一の時間および周波数リソース）を共有することによって、複数のユーザ端末が、単一の基地局と通信することを可能にするために、さまざまなスキームが開発されてきた。このようなスキームの１つは、空間分割多元接続（ＳＤＭＡ）である。
【０００３】
ＳＤＭＡシステムでは、基地局は、同時に、また、同一の周波数を使用して、さまざまな信号を、複数の移動体ユーザ端末に対して送信してもよく、または、複数の移動体ユーザ端末から受信してもよい。信頼可能なデータ通信を達成するために、ユーザ端末は、十分に異なる方向において、位置特定される必要があるかもしれない。独立した信号が、基地局における、空間分割されたアンテナのそれぞれから同時に送信されてもよい。結果として、結合された送信は、指向性のものであってもよく、すなわち、それぞれのユーザ端末に対して専用である信号は、その特定のユーザ端末の方向において比較的強く、他のユーザ端末の方向において十分に弱くてもよい。同様に、基地局は、同時に同一の周波数上で、空間で分けられたそれぞれのアンテナを通して、複数のユーザ端末からの結合された信号を受信してもよく、複数のアンテナからの結合された受信信号は、適切な信号処理技術を適用することによって、それぞれのユーザ端末から送信された独立した信号へと分けられてもよい。
【０００４】
複数入力複数出力（ＭＩＭＯ）ワイヤレスシステムは、データ送信のために、複数（ＮT）の送信アンテナと、複数（ＮR）の受信アンテナとを用いる。ＮTの送信アンテナと、ＮRの受信アンテナとによって形成されたＭＩＭＯチャネルは、ＮS空間チャネルへと分解されてもよく、ここで、NS≦min｛ＮT，ＮR｝である。ＮS空間チャネルを使用して、ＮSの独立したデータストリームを送信して、より大きい全体のスループットを達成してもよい。
【０００５】
ＳＤＭＡに基づいた多元接続ＭＩＭＯシステムでは、アクセスポイントは、任意の所定の瞬間において、１つ以上のユーザ端末と通信できる。アクセスポイントが、単一のユーザ端末と通信する場合、ＮTの送信アンテナは、１つの送信エンティティ（アクセスポイントまたはユーザ端末のいずれか）に関係付けられており、ＮRの受信アンテナは、１つの送信エンティティ（ユーザ端末またはアクセスポイントのいずれか）に関係付けられている。アクセスポイントは、また、ＳＤＭＡを介して、同時に複数のユーザ端末と通信することができる。ＳＤＭＡに対して、アクセスポイントは、データ送受信のために複数のアンテナを利用し、それぞれのユーザ端末は一般的に、データ送信のために１つのアンテナを、また、データ受信のために複数のアンテナを利用する。
【概要】
【０００６】
ある実施形態は、マルチチャネルワイヤレス通信システムにおいて、パケット送信をスケジュールするための方法を提供する。方法は、一般的に、空間分割多元接続（ＳＤＭＡ）スキームを介して、複数のワイヤレスネットワークノードと同時に通信するために利用可能なチャネルの識別を受信することと、チャネルの識別に基づいて、ワイヤレスネットワークノードに対するパケット送信のためのスケジュールを決定することと、スケジュールにしたがって、ＳＤＭＡスキームを介して、少なくともいくつかのワイヤレスネットワークノードに対して同時に、ダウンリンクパケットを送信することとを含む。
【０００７】
ある実施形態は、マルチチャネルワイヤレス通信システムにおいて、パケット送信をスケジュールするための方法を提供する。方法は、一般的に、アップリンク空間分割多元接続（ＳＤＭＡ）送信として、ワイヤレスネットワークノードと通信するために利用可能な１つ以上のチャネルの識別を送ることと、少なくとも１つの識別された通信チャネル上で、ダウンリンクＳＤＭＡ送信を受信することとを含む。
【０００８】
ある実施形態は、マルチチャネルワイヤレス通信システムにおいて、パケット送信をスケジュールするための方法を提供する。方法は、複数のワイヤレスネットワークノードと通信するために、利用可能なチャネルの識別を受信することと、チャネルの識別に基づいて、ワイヤレスネットワークノードに対するパケット送信のためのスケジュールを決定することと、ワイヤレスネットワークノードにスケジュールを通信することとを含む。
【０００９】
ある実施形態は、マルチチャネルワイヤレス通信システムにおいて、パケット送信をスケジュールするための方法を提供する。方法は、一般的に、ワイヤレスネットワークと通信するために、利用可能な１つ以上のチャネルの識別を送ることと、チャネルの識別に基づいて発生された、ワイヤレスネットワークと通信するためのスケジュールを受信することと、スケジュールにしたがって、ワイヤレスネットワークと通信することとを含む。
【００１０】
ある実施形態は、マルチチャネルワイヤレス通信システムにおいて、パケット送信をスケジュールするための装置を提供する。装置は、一般的に、空間分割多元接続（ＳＤＭＡ）スキームを介して、複数のワイヤレスネットワークノードと同時に通信するために利用可能なチャネルの識別を受信する手段と、チャネルの識別に基づいて、ワイヤレスネットワークノードに対するパケット送信のためのスケジュールを決定する手段と、スケジュールにしたがって、ＳＤＭＡスキームを介して、少なくともいくつかのワイヤレスネットワークノードに対して同時に、ダウンリンクパケットを送信する手段とを具備する。
【００１１】
ある実施形態は、マルチチャネルワイヤレス通信システムにおいて、パケット送信をスケジュールするための装置を提供する。装置は、一般的に、アップリンク空間分割多元接続（ＳＤＭＡ）送信として、ワイヤレスネットワークノードと通信するために利用可能な１つ以上のチャネルの識別を送る手段と、少なくとも１つの識別された通信チャネル上で、ダウンリンクＳＤＭＡ送信を受信する手段とを具備する。
【００１２】
ある実施形態は、マルチチャネルワイヤレス通信システムにおいて、パケット送信をスケジュールするための装置を提供する。装置は、一般的に、複数のワイヤレスネットワークノードと通信するために、利用可能なチャネルの識別を受信する手段と、チャネルの識別に基づいて、ワイヤレスネットワークノードに対するパケット送信のためのスケジュールを決定する手段と、ワイヤレスネットワークノードにスケジュールを通信する手段とを具備する。
【００１３】
ある実施形態は、マルチチャネルワイヤレス通信システムにおいて、パケット送信をスケジュールするための装置を提供する。装置は、一般的に、ワイヤレスネットワークと通信するために、利用可能な１つ以上のチャネルの識別を送る手段と、チャネルの識別に基づいて発生された、ワイヤレスネットワークと通信するためのスケジュールを受信する手段と、スケジュールにしたがって、ワイヤレスネットワークと通信する手段とを具備する。
【００１４】
ある実施形態は、マルチチャネルワイヤレス通信システムにおいて、パケット送信をスケジュールするための装置を提供する。装置は、一般的に、空間分割多元接続（ＳＤＭＡ）スキームを介して、複数のワイヤレスネットワークノードと同時に通信するために利用可能なチャネルの識別を受信するように構成されている受信機と、チャネルの識別に基づいて、ワイヤレスネットワークノードに対するパケット送信のためのスケジュールを決定するように構成されているスケジューラと、スケジュールにしたがって、ＳＤＭＡスキームを介して、少なくともいくつかのワイヤレスネットワークノードに対して同時に、ダウンリンクパケットを送信するように構成されている送信機とを具備する。
【００１５】
ある実施形態は、マルチチャネルワイヤレス通信システムにおいて、パケット送信をスケジュールするための装置を提供する。装置は、一般的に、アップリンク空間分割多元接続（ＳＤＭＡ）送信として、ワイヤレスネットワークノードと通信するために利用可能な１つ以上のチャネルの識別を送るように構成されている送信機と、少なくとも１つの識別された通信チャネル上で、ダウンリンクＳＤＭＡ送信を受信するように構成されている受信機とを具備する。
【００１６】
ある実施形態は、マルチチャネルワイヤレス通信システムにおいて、パケット送信をスケジュールするための装置を提供する。装置は、一般的に、複数のワイヤレスネットワークノードと通信するために、利用可能なチャネルの識別を受信するように構成されている受信機と、チャネルの識別に基づいて、ワイヤレスネットワークノードに対するパケット送信のためのスケジュールを決定するように構成されているスケジューラと、ワイヤレスネットワークノードにスケジュールを通信するように構成されているロジックとを具備する。
【００１７】
ある実施形態は、マルチチャネルワイヤレス通信システムにおいて、パケット送信をスケジュールするための装置を提供する。装置は、一般的に、ワイヤレスネットワークと通信するために、利用可能な１つ以上のチャネルの識別を送るように構成されている送信機と、チャネルの識別に基づいて発生された、ワイヤレスネットワークと通信するためのスケジュールを受信するように構成されている受信機と、スケジュールにしたがって、ワイヤレスネットワークと通信するように構成されているロジックとを具備する。
【００１８】
ある実施形態は、記憶されている命令を有しているコンピュータ読取可能媒体を備える、マルチチャネルワイヤレスネットワークにおいてパケット送信をスケジューリングするためのコンピュータプログラム製品を提供し、命令は、１つ以上のプロセッサによって実行可能である。命令は、複数のワイヤレスネットワークノードと通信するために、利用可能なチャネルの識別を受信させ、チャネルの識別に基づいて、ワイヤレスネットワークノードに対するパケット送信のためのスケジュールを決定させ、ワイヤレスネットワークノードにスケジュールを通信させるための命令を含む。
【００１９】
ある実施形態は、記憶されている命令を有しているコンピュータ読取可能媒体を備える、マルチチャネルワイヤレスネットワークにおいてパケット送信をスケジューリングするためのコンピュータプログラム製品を提供し、命令は、１つ以上のプロセッサによって実行可能である。命令は、ワイヤレスネットワークと通信するために、利用可能な１つ以上のチャネルの識別を送信させ、チャネルの識別に基づいて発生された、ワイヤレスネットワークと通信するためのスケジュールを受信させ、スケジュールにしたがって、ワイヤレスネットワークと通信させるための命令を含む。
【００２０】
ある実施形態は、記憶されている命令を有しているコンピュータ読取可能媒体を備える、マルチチャネルワイヤレスネットワークにおいてパケット送信をスケジューリングするためのコンピュータプログラム製品を提供し、命令は、１つ以上のプロセッサによって実行可能である。命令は、複数のワイヤレスネットワークノードと通信するために、利用可能なチャネルの識別を受信させ、チャネルの識別に基づいて、ワイヤレスネットワークノードに対するパケット送信のためのスケジュールを決定させ、ワイヤレスネットワークノードにスケジュールを通信させるための命令を含む。
【００２１】
ある実施形態は、記憶されている命令を有しているコンピュータ読取可能媒体を備える、マルチチャネルワイヤレスネットワークにおいてパケット送信をスケジューリングするためのコンピュータプログラム製品を提供し、命令は、１つ以上のプロセッサによって実行可能である。命令は、ワイヤレスネットワークと通信するために、利用可能な１つ以上のチャネルの識別を送信させ、チャネルの識別に基づいて発生された、ワイヤレスネットワークと通信するためのスケジュールを受信させ、スケジュールにしたがって、ワイヤレスネットワークと通信させるための命令を含む。
【図面の簡単な説明】
【００２２】
本開示の上記の特徴が、より詳細に理解されることができるような方法で、上に要約したものの、より詳細な説明を、これらのうちのいくつかのものが添付の図面に図示されている実施形態に対する参照によって行う。しかしながら、添付の図面は、本開示のある特定の典型的な実施形態だけを図示しており、したがって、その範囲を制限するとして考慮すべきでなく、記述は、他の同等に有効な実現を認めてもよいことに留意すべきである。  
【図１】図１は、本開示のある実現にしたがった、空間分割多元接続ＭＩＭＯワイヤレスシステムを示す。
【図２】図２は、本開示のある実現にしたがった、アクセスポイントと２つのユーザ端末のブロック図を示す。
【図３】図３は、本開示のある実現にしたがった、ワイヤレスデバイスの例示的コンポーネントを図示する。
【図４】図４は、本開示のある実現にしたがった、ＳＤＭＡシステムにおいて送信をスケジュールするための例示的な動作を図示する。
【図４Ａ】図４Ａは、図４に示した動作を実行することができる例示的なコンポーネントを図示する。
【図５】図５は、ＳＤＭＡシステムにおいて送信をスケジュールするための例示的なメッセージフローを示す例示的なタイミング図である。
【図６】図６は、ＳＤＭＡシステムにおいて送信をスケジュールするための例示的なメッセージフローを示す例示的なタイミング図である。
【詳細な説明】
【００２３】
ここで、用語“例示的な”を使用して、例、例示、または、図解として働くことを意味する。ここで“例示的”であるとして説明する任意の実施形態は、必ずしも、他の実施形態よりも好ましい、または、有利であるとして解釈する必要はない。
【００２４】
ここで記述するマルチアンテナ送信技術は、コード分割多元接続（ＣＤＭＡ）、直交周波数分割多重（ＯＦＤＭ）、時分割多元接続（ＴＤＭＡ）等のような、さまざまなワイヤレス技術との組み合わせにおいて使用されてもよい。複数のユーザ端末は、異なるもの（１）ＣＤＭＡに対する直交コードチャネル、（２）ＴＤＭＡに対する時間スロット、（３）ＯＦＤＭに対するサブバンド、を介して、同時にデータを送受信できる。ＣＤＭＡシステムは、ＩＳ−２０００、ＩＳ−９５、ＩＳ−８５６、広帯域ＣＤＭＡ（Ｗ−ＣＤＭＡ）、または、他の何らかの標準規格を実現してもよい。ＯＦＤＭシステムは、ＩＥＥＥ８０２．１１または他の何らかの標準規格を実現してもよい。ＴＤＭＡシステムは、ＧＳＭ（登録商標）または他の何らかの標準規格を実現してもよい。これらのさまざまな標準規格は、技術的に知られている。
【００２５】
図１は、アクセスポイントおよびユーザ端末を具備する、多元接続ＭＩＭＯシステム１００を示す。簡潔さのために、１つだけのアクセスポイント１１０を図１に示した。アクセスポイントは、一般的に、ユーザ端末と通信する据置型局であり、基地局、または、他の何らかの用語としても呼ばれてもよい。ユーザ端末は、据置型または移動体であってもよく、移動局、ワイヤレスデバイス、または、他の何らかの用語としても呼ばれてもよい。アクセスポイント１１０は、ダウンリンクおよびアップリンク上で、何らかの所定の瞬間において、１つ以上のユーザ端末１２０と通信してもよい。ダウンリンク（すなわち、フォワードリンク）は、ユーザ端末に対するアクセスポイントからの通信リンクであり、アップリンク（すなわち、リバースリンク）は、ユーザ端末からアクセスポイントに対する通信リンクである。ユーザ端末はまた、別のユーザ端末とともにピアツーピアで通信してもよい。システム制御装置１３０は、アクセスポイントに結合されており、アクセスポイントに対する調整と制御を提供する。
【００２６】
以下の開示の一部は、特定の実施形態に対して、ＳＤＭＡを介して通信できるユーザ端末１２０を記述することになるが、ユーザ端末１２０はまた、ＳＤＭＡをサポートしない何らかのユーザ端末も含む。したがって、このような実施形態に対して、ＡＰ１１０は、ＳＤＭＡおよび非−ＳＤＭＡユーザ端末の両方と通信するように構成されていてもよい。このアプローチは、便利なことに、ユーザ端末の旧式版（“レガシー”局）が、事業において配備されたままでいることを可能にし、それらの有効な寿命を延長する一方で、適切であるとみなされるように、より新しいＳＤＭＡユーザ端末が、導入されることを可能にしている。
【００２７】
システム１００は、ダウンリンクおよびアップリンク上で、データ送信のための複数の送信および複数の受信アンテナを用いる。アクセスポイント１１０は、Ｎapアンテナを備えており、ダウンリンク送信に対する複数入力（ＭＩ）と、アップリンク送信に対する複数出力（ＭＯ）とを表す。Ｎu個の選択されたユーザ端末の組は、集合的に、ダウンリンク送信に対する複数出力と、アップリンク送信に対する複数入力とを表す。純粋なＳＤＭＡに対して、Ｎu個のユーザ端末に対するデータシンボルストリームが、コード中で、周波数または時間の何らかの手段によって、多重化されていない場合、Ｎap≧Ｎu≧１を有することが望ましい。データシンボルストリームが、ＣＤＭＡでの異なるコードチャネルや、ＯＦＤＭでサブバンドの排他的組等を使用して多重化できる場合、Ｎuは、Ｎapより多くてもよい。それぞれの選択されたユーザ端末は、アクセスポイントに対して、ユーザ特定のデータを送信し、および／または、アクセスポイントからユーザ特定のデータを受信する。一般的に、それぞれの選択されたユーザ端末は、１つの、または、複数のアンテナを備えていてもよい（すなわち、Ｎut≧１）。Ｎu個の選択されたユーザ端末は、同一の、または、異なる数のアンテナを持つことができる。
【００２８】
ＳＤＭＡシステム１００は、時間分割二重（ＴＤＤ）システムまたは周波数分割二重（ＦＤＤ）システムであってもよい。ＴＤＤシステムに対して、ダウンリンクおよびアップリンクは、同一の周波数帯域を使用する。ＦＤＤシステムに対して、ダウンリンクおよびアップリンクは、異なる周波数帯域を使用する。ＭＩＭＯシステム１００はまた、送信のために単一搬送波または複数搬送波を利用してもよい。それぞれのユーザ端末は、（例えば、費用低下を維持するために）単一のアンテナを備えていてもよく、または、（例えば、付加的な費用がサポート可能な場合は）複数のアンテナを備えていてもよい。
【００２９】
図２は、ＭＩＭＯシステム１００におけるアクセスポイント１１０と、２つのユーザ端末１２０ｍおよび１２０ｘのブロック図を示す。アクセスポイント１１０は、Ｎap個のアンテナ２２４ａから２２４ａｐを備えている。ユーザ端末１２０ｍは、Ｎut,m個のアンテナ２５２ｍａから２５２ｍｕを備えており、ユーザ端末１２０ｘは、Ｎut,x個のアンテナ２５２ｘａから２５２ｘｕを備えている。アクセスポイント１１０は、ダウンリンクに対する送信エンティティであり、アップリンクに対する受信エンティティである。それぞれのユーザ端末１２０は、アップリンクに対する送信エンティティであり、ダウンリンクに対する受信エンティティである。ここで使用されるように、“送信エンティティ”は、独立して動作され、ワイヤレスチャネルを介してデータを送信することができる、装置またはデバイスであり、“受信エンティティ”は、ワイヤレスチャネルを介してデータを受信することができる、独立して動作される装置またはデバイスである。以下の記述において、添字“ｄｎ”は、ダウンリンクを表し、添字“ｕｐ”は、アップリンクを表し、Ｎupのユーザ端末が、アップリンク上の同時送信に対して選択され、Ｎdnのユーザ端末が、ダウンリンク上の同時送信に対して選択され、Ｎupは、Ｎdnに等しくてもよく、または、等しくなくてもよく、Ｎdnは、静的な値であってもよく、それぞれのスケジューリング間隔に対して、変更できてもよい。アクセスポイントおよびユーザ端末において、ビームステアリング、または、他の何らかの空間的処理技術を使用してもよい。
【００３０】
アップリンク上で、アップリンク送信のために選択されたそれぞれのユーザ端末１２０において、ＴＸデータプロセッサ２８８は、データ源２８６からトラフィックデータを受け取り、制御装置２８０から制御データを受け取る。ＴＸデータプロセッサ２８８は、ユーザ端末に対して選択されたレートに関係するコーディングおよび変調スキームに基づいて、ユーザ端末のトラフィックデータ｛ｄup,m｝を処理（例えば、エンコード、インターリーブ、および、変調）して、データシンボルストリーム｛ｓup,m｝を提供する。ＴＸ空間プロセッサ２９０は、データシンボルストリーム｛ｓup,m｝上で空間処理を実行し、Ｎut,mのアンテナに対して、Ｎut,mの送信シンボルストリームを提供する。それぞれの送信機ユニット（ＴＭＴＲ）２５４は、それぞれのシンボルストリームを受け信り、処理（例えば、アナログに変換、増幅、フィルタ、および、周波数上位変換）して、アップリンク信号を発生させる。Ｎut,mの送信機ユニット２５４は、Ｎut,mのアンテナ２５２からのアクセスポイントに対する送信のためにＮut,mのアップリンク信号を提供する。
【００３１】
Ｎupのユーザ端末が、アップリンク上の同時送信のためにスケジュールされてもよい。これらのユーザ端末のそれぞれは、そのデータシンボルストリーム上に空間処理を実行し、その１組の送信シンボルストリームを、アップリンク上でアクセスポイントに対して送信する。
【００３２】
アクセスポイント１１０において、Ｎap個のアンテナ２２４ａから２２４ａｐは、アップリンク上で送信しているすべてのＮupのユーザ端末からのアップリンク信号を受信する。それぞれのアンテナ２２４は、各受信機ユニット（ＲＣＶＲ）２２２に対して、受信信号を提供する。各受信機ユニット２２２は、送信機ユニット２５４によって実行される処理の相補的な処理を実行し、受信シンボルストリームを提供する。ＲＸ空間プロセッサ２４０は、Ｎapの受信機ユニット２２２からのＮapの受信シンボルストリーム上に受信機空間処理を実行して、Ｎupの回復されたアップリンクデータシンボルストリームを提供する。受信機空間処理は、チャネル相関行列反転（ＣＣＭＩ）、最小平均二乗誤差（ＭＭＳＥ）、ソフト干渉キャンセレーション（ＳＩＣ）、または、他の何らかの技術にしたがって実行されてもよい。それぞれの回復されたアップリンクデータシンボルストリーム｛ｓup,m｝は、各ユーザ端末によって送信されたデータシンボルストリーム｛ｓup,m｝の推定である。ＲＸデータプロセッサ２４２は、それぞれの回復されたアップリンクデータシンボルストリーム｛ｓup,m｝を処理（例えば、復調、デインターリーブ、および、デコード）して、デコードされたデータを得る。各ユーザ端末に対するデコードデータは、記憶のためにデータシンク２４４に対して提供されてもよく、および／または、さらなる処理のために制御装置２３０に対して提供されてもよい。
【００３３】
ダウンリンク上で、アクセスポイント１１０において、ＴＸデータプロセッサ２１０は、ダウンリンク送信に対してスケジュールされたＮdnユーザ端末に対する、データソース２０８からのトラフィックデータと、制御装置２３０からの制御データと、おそらくは、スケジューラ２３４からの他のデータとを受け取る。さまざまなタイプのデータは、異なるトランスポートチャネル上で送られてもよい。ＴＸデータプロセッサ２１０は、そのユーザ端末に対して選択されたレートに基づいて、それぞれのユーザ端末に対するトラフィックデータを処理（例えば、エンコード、インターリーブ、および、変調）する。ＴＸデータプロセッサ２１０は、Ｎdnのユーザ端末に対して、Ｎdnのダウンリンクデータシンボルストリームを提供する。ＴＸ空間プロセッサ２２０は、Ｎdnのダウンリンクデータシンボルストリームに空間的処理を実行して、Ｎapのアンテナに対するＮapの送信シンボルストリームを提供する。それぞれの送信機ユニット２２２は、各送信シンボルストリームを受信および処理して、ダウンリンク信号を発生させる。Ｎapの送信機ユニット２２２は、Ｎapのアンテナからユーザ端末に対する送信のために、Ｎapのダウンリンク信号を提供する。
【００３４】
それぞれのユーザ端末１２０において、Ｎut,mのアンテナ２５２は、アクセスポイント１１０からのＮapのダウンリンク信号を受信する。それぞれの受信機ユニット２５４は、関係するアンテナ２５２から受け取られた信号を処理して、受信シンボルストリームを提供する。ＲＸ空間プロセッサ２６０は、Ｎut,mの受信機ユニット２５４からのＮut,mの受信シンボルストリームに受信機空間処理を実行して、ユーザ端末に対する、回復されたダウンリンクデータシンボルストリーム｛ｓdn,m｝を提供する。受信機空間処理は、ＣＣＭＩ、ＭＭＳＥ、または、他の何らかの技術にしたがって、実行される。ＲＸデータプロセッサ２７０は、回復されたダウンリンクデータシンボルストリームを処理（例えば、復調、デインターリーブ、および、デコード）して、ユーザ端末に対する、デコードされたデータを得る。
【００３５】
それぞれのユーザ端末１２０において、チャネル推定器２７８は、ダウンリンクチャネル応答を推定して、ダウンリンクチャネル推定を提供し、これは、チャネル利得推定、ＳＮＲ推定等を含んでいてもよい。同様に、チャネル推定器２２８は、アップリンクチャネル応答を推定し、アップリンクチャネル推定を提供する。それぞれのユーザ端末に対する制御装置２８０は、典型的に、そのユーザ端末に対するダウンリンクチャネル応答行列Ｈdn,mに基づいて、ユーザ端末に対する空間的フィルタ行列を導出する。制御装置２３０は、有効なアップリンクチャネル応答行列Ｈup,effに基づいて、アクセスポイントに対する空間的フィルタ行列を導出する。それぞれのユーザ端末に対する制御装置２８０は、アクセスポイントに対して、フィードバック情報（例えば、ダウンリンクおよび／またはアップリンクステアリングベクトル、ＳＮＲ推定等）を送ってもよい。制御装置２３０および２８０はまた、アクセスポイント１１０およびユーザ端末１２０それぞれにおいて、さまざまな処理ユニットの動作を制御してもよい。
【００３６】
図３は、システム１００内で用いられてもよいワイヤレスデバイス３０２において利用されてもよいさまざまなコンポーネントを図示する。ワイヤレスデバイス３０２は、ここで記述するさまざまな方法を実現するように構成されていてもよいデバイスの例である。ワイヤレスデバイス３０２は、アクセスポイント１１０またはユーザ端末１２０であってもよい。
【００３７】
ワイヤレスデバイス３０２は、ワイヤレスデバイス３０２の動作を制御するプロセッサ３０４を具備していてもよい。プロセッサ３０４はまた、中央処理ユニット（ＣＰＵ）として呼ばれてもよい。メモリ３０６は、読出専用メモリ（ＲＯＭ）と、ランダムアクセスメモリ（ＲＡＭ）との両方を含んでいてもよく、プロセッサ３０４に対して命令とデータを提供する。メモリ３０６の一部はまた、不揮発性ランダムアクセスメモリ（ＮＶＲＡＭ）を含んでいてもよい。プロセッサ３０４は、典型的に、メモリ３０６内に記憶されているプログラム命令に基づいて、論理および算術演算を実行する。メモリ３０６中の命令は、ここで記述される方法を実現するように実行可能であってもよい。
【００３８】
ワイヤレスデバイス３０２はまた、ワイヤレスデバイス３０２と遠隔ロケーションとの間のデータの送受信を可能にする、送信機３１０と受信機３１２を備えていてもよい筐体３０８を具備していてもよい。送信機３１０と受信機３１２は、トランシーバ３１４に結合されていてもよい。複数の送信アンテナ３１６は、筐体３０８に据え付けられていてもよく、トランシーバ３１４に電気的に結合されていてもよい。ワイヤレスデバイス３０２はまた、（示していない）複数の送信機、複数の受信機、および、複数のトランシーバを含んでもよい。
【００３９】
ワイヤレスデバイス３０２はまた、トランシーバ３１４によって受信された信号のレベルを検出し、測定しようとする試みにおいて使用されてもよい信号検出器３１８を含んでもよい。信号検出器３１８は、合計エネルギー、シンボル毎の副搬送波毎エネルギー、電力スペクトル深度、および、他の信号として、このような信号を検出してもよい。ワイヤレスデバイス３０２はまた、信号を処理する際に使用するためのデジタル信号プロセッサ（ＤＳＰ）３２０も含んでもよい。
【００４０】
ワイヤレスデバイス３０２のさまざまなコンポーネントは、バスシステム３２２によって一緒に結合されてもよく、これは、データバスに加えて、電力バス、制御信号バス、および、ステータス信号バスを含んでいてもよい。
【００４１】
ここで使用するように、用語“レガシー”は、一般的に、８０２．１１ｎまたは、８０２．１１標準規格のより早期のバージョンをサポートするワイヤレスネットワークノードを指す。
【００４２】
ここで、特定の技術を、ＳＤＭＡに対する参照とともに記述しているが、当業者は、技術が一般的に、ＳＤＭＡ、ＯＦＤＭＡ、ＣＤＭＡ、および、これらの組み合わせのような、何らかのタイプの多元接続スキームを利用しているシステムにおいて適用されてもよいことを理解するだろう。
【００４３】
マルチチャネルＳＤＭＡ  
複数のチャネルを使用して同時に送受信するために、複数の端末をスケジューリングすることによって、無線リンクの利用を改善するためにＳＤＭＡを使用してもよい。空間ストリームを使用して、端末のそれぞれに対してデータを送ってもよい。本開示の特定の実施形態は、複数のチャネルを通した、複数の端末に対する空間的ストリームの効率的なスケジューリングのためのプロトコルを提供する。
【００４４】
８０２．１１ワイヤレスローカルエリアネットワーク（ＷＬＡＮ）システムに対して利用可能なライセンスされていないスペクトルを考慮するとき、パケット送信のために利用可能なかなりの量の帯域幅がある。典型的に、帯域幅は、２０ＭＨｚ幅の異なるチャネルへと分けられている。配信システムにおいて、１つ以上の空き単一チャネルがある場合、このリソースのより良い利用は、より高い総合スループットを可能にするだろう。本開示の特定の実施形態は、ＳＤＭＡを、複数チャネルの使用に結合させて、全体の集合ネットワークスループットを強化するための方法（プロトコル）を提供する。
【００４５】
特定の観点にしたがうと、本開示において提示されるプロトコルは、複数のワイヤレスチャネルを通して、複数のワイヤレスノード（例えば、局）と通信する際に使用するためのスケジュールを、ＡＰが決定することを可能にする。言い換えると、スケジュールは、複数のワイヤレスノードのどれが、どのチャネル上で通信するかを識別してもよい。ある観点にしたがうと、プロトコルはまた、局のトレーニングも提供してもよく、ここで、ＡＰは、局から受信されたサウンディング信号を利用して、それぞれの局に対するチャネル情報を決定してもよい。ＡＰは、このチャネル情報を使用して、局に対する引き続いてのダウンリンクＳＤＭＡ送信を最適化してもよい。
【００４６】
図４は、本開示のある実施形態にしたがった、ワイヤレスＬＡＮシステム中の複数のチャネルを通して、複数のユーザに対するＳＤＭＡシステムにおいて送信をスケジュールするための例示的な動作を図示する。図４は、アクセスポイントによって実行されても良い動作と、局によって実行されても良い動作との両方を図示する。ＳＤＭＡシステムにおいて、複数の局によって同時に、局の動作が実行されてもよい。図示した動作は、図３を参照して上述したもののような、何らかの適切なコンポーネントによって実行されてもよい。
【００４７】
例示的な目的のために、図４の動作を、図５および６に図示されている例示的なタイミング図に関連して以下で記述する。動作は、４１０において開始し、ここで、アクセスポイント（ＡＰ）が、局（ＳＴＡ）に対して、利用可能なチャネルの識別に関する要求を送る。例えば、要求は、図５および６に示した空きチャネル要求メッセージ（ＦＣＲＭ）５０２の形態をとってもよい。
【００４８】
４２０において、要求がＳＴＡによって受信される。４３０において、それぞれのＳＴＡは、利用可能なチャネルの識別を送る。４４０において、それぞれのＳＴＡによって送られた利用可能なチャネルの識別は、ＡＰによって受信される。４５０において、ＡＰは、利用可能なチャネルに少なくとも部分的に基づいて、パケット送信のためのスケジュールを決定する。４６０において、ＡＰは、ＳＴＡに対してスケジュールを通信する。４７０において、スケジュールはＳＴＡによって受信される。４８０および４９０において、ＡＰとＳＴＡは、スケジュールにしたがって通信する。
【００４９】
特定の実施形態に対して、ＡＰは、局から空きチャネル情報を受信するために、要求を送る必要がないかもしれない。したがって、動作４１０および４２０はオプション的であるとして考えられてもよい。このような実施形態に対して、局は、定期的に、または、新しい利用可能なチャネルが検出されたときのような他の何らのトリガリングメカニズムに応答して、それらの空きチャネル情報を送ってもよい。
【００５０】
図５および６は、複数のワイヤレスチャネル（一次チャネルＣＨ１、ＣＨ２、ＣＨ３、および、ＣＨ４）を使用して、ＡＰと複数の局（ＳＴＡ１、ＳＴＡ２、ＳＴＡ３、および、ＳＴＡ４）との間の例示的なワイヤレス送信を図示する。図において、水平軸は、異なるワイヤレスチャネルに対応する。どのエンティティが特定のメッセージを送信しているかを識別するために、それぞれのメッセージを表しているボックス中にラベルが含まれる。例として、空きチャネル要求メッセージ（ＦＣＲＭ）を表しているボックス５０２中のラベル“ＡＰ”は、ＡＰがＦＣＲＭ５０２を送信することを示す一方で、送信可（ＣＴＳ）フレームを表しているボックス５０４中の“ＳＴＡ１”、“ＳＴＡ２”、“ＳＴＡ３”、および、“ＳＴＡ４”に対する個別のラベルは、異なる局のそれぞれがＣＴＳフレーム５０４を送信することを示す。
【００５１】
図５は、特定の実施形態にしたがった、複数のユーザに対するＳＤＭＡ送信をスケジュールすることの例を図示するタイミング図である。図示した例において、局は、“互いにずれた”送信可（ＣＴＳ）フレーム５０４で応答しており、このことは、局が異なる時間において、ＣＴＳフレームを送っていることを意味している。
【００５２】
図示した例は、以下のことを仮定する。ＡＰは、異なるチャネル上で、異なるパケットを同時に送信でき、隣接していないチャネル上でパケットを送信でき、すべての４つの空きチャネル１、２、３、および、４を確認することができる。局１は、チャネル１、２、および、４を確認し、局２は、チャネル１および４を確認し、局３は、チャネル１、３、および、４を確認する一方で、局４は、チャネル１だけを確認する。したがって、ＡＰにとって最適なスケジュールは、すべての局とのＳＤＭＡ通信に対してチャネル１を使用し、局２との通信に対してチャネル２を使用し、局３との通信に対してチャネル３を使用し、そして、局１、２、および、３とのＳＤＭＡ通信に対してチャネル４を使用することであってもよい。
【００５３】
例において示したように、ＡＰは、空きチャネル要求メッセージ（ＦＣＲＭ）５０２を送り、これは、（例えば、ＭＡＣヘッダ中で識別されたノードを有する）特定の組のノードに対するマルチキャストメッセージであってもよい。ＦＣＲＭ５０２はまた、（例えば、空きチャネルリスト−ＦＣＬとして）ＡＰによって確認される空きチャネルに関する情報を含んでもよい。ＦＣＲＭはまた、ノードがそれらの各ＦＣＬ（例えば、空きチャネルリストメッセージ５０６）に応答すべきであるときを示している情報も含んでもよい。
【００５４】
特定の観点にしたがうと、ＡＰはまた、すべての識別された空きチャネル上で、送信可（ＣＴＳ）メッセージ５０４を、それ自身に対して送って（自身へのＣＴＳ）、必要とされる時間量の間、交換のためにこれらのチャネルを確保してもよい。図示したように、ＡＰによって送られたＦＣＲＭとＣＴＳメッセージは、継続期間フィールド設定を持っていてもよく、これは、すべての局からの空きチャネルリストとサウンディング情報を受信するために十分に長くてもよく、チャネルを保護するための（ＡＰと局に対する）ＮＡＶ設定をもたらしてもよい。
【００５５】
ＡＰによって送られたＦＣＲＭ５０２に応答して、それぞれのＳＴＡはまた、局が確認するすべての空きチャネル上で、それ自体に対してＣＴＳ５０４を送ってもよい。このメカニズムは、ＡＰがトレーニング要求（ＴＲＱ４０８）を送って、すべての局がサウンディングフレーム５１０で応答するまで、これらのチャネルが、ある時間期間に対して確実に予約されることを支援してもよい。同一のチャネルを空きとして識別するいくつかのノードがある場合、それらは、何らかのタイプのアービトレーションを実行してもよく、例えば、それらの局ＩＤによって決定されるそれぞれの局に対する順序で、互いにずれた方法で、それら自身に対してＣＴＳを送ってもよい。
【００５６】
図示された例において、すべての局は、主チャネル（チャネル１）を確認し、局は、例示的に、局番号の順序で、それぞれ互いにずれたＣＴＳ５０４を主チャネル上で送る。同様に、局１、２、および、３がすべて、チャネル４を確認するので、これらの局はまた、チャネル４上で互いにずれたＣＴＳ５０４をそれぞれ送る。局１は、チャネル２を確認する唯一の局であるので、局１は、チャネル２上でＣＴＳ５０４を送る唯一の局である。同様に、局３は、チャネル３を確認する唯一の局であるので、局３は、チャネル３上でＣＴＳ５０４を送る唯一の局である。図示したように、この例において、それぞれの局は、そのＣＴＳ５０４をそれぞれのチャネル上で、少しずつ互いにずれるように指定された、同一の時間に送ってもよい。
【００５７】
ＡＰが複数のチャネル上で、局と通信するためのスケジュールを決定するのを支援するために、局は、ＡＰに対するＦＣＬメッセージ５０６中で、それらが確認するチャネルの表示（それらの“利用可能チャネル”）を提供してもよい。図示したように、特定の実施形態に対して、各局からのＦＣＬメッセージ５０６は、ＳＤＭＡアップリンク送信と（同一の）主チャネル上で送信されてもよい。ＦＣＬメッセージ５０６のこのようなスケジューリングは、ＦＣＲＭ５０２中でＡＰによって指定されてもよい。例えば、局がそれらのＦＣＬメッセージ５０６を、（示したように）ＳＤＭＡ  ＵＬ送信として、または、少しずつ互いにずれた方法で送るべきか否かを示す情報を、ＦＣＲＭが含んでいてもよい。
【００５８】
ＳＴＡからのすべてのＦＣＬメッセージ５０６を受信する際に、ＡＰは、空きチャネルリスト中に示されたそれぞれの局に対して“利用可能なチャネル”に基づいて、異なる応答ＳＴＡに対するパケット送信を示すスケジュールを計算してもよい。次に、ＡＰは、ＡＰのまわりのこれらのチャネルを予約するために、すべての空きチャネル上で何らかのタイプのマルチチャネルメッセージを送ってもよい。ＳＤＭＡ可能でない局が、それらのネットワーク割振ベクトル（ＮＡＶ）設定をこれにしたがって調整できるように、ＮＡＶ設定能力に関して、“レガシー相互互換性可能”になるように、このようなメッセージを選んでもよい。マルチキャスト要求メッセージのＮＡＶは、すべてのブロック肯定応答（ＢＡ）５１６が受信されるまで、主チャネルを保護すべきである。副次的チャネル（ＣＨ２−ＣＨ４）上のＮＡＶ設定はまた、それらの各パケット送信の期間に対して、これらのチャネルを保護するように設定されてもよい。
【００５９】
特定の観点にしたがうと、マルチチャネル要求メッセージは、トレーニング要求メッセージ（ＴＲＱ）５０８の形態をとってもよい。ＦＣＲＭ５０２でのように、特定の観点にしたがうと、局は、少しずつ互いにずれたＣＴＳ５０４とともに、ＴＲＱ５０８に応答してもよい。
【００６０】
示したように、ＴＲＱ５０８は、複数の局にとって利用可能である空きチャネル上で送られてもよい。ＴＲＱ５０８を受信している局は、サウンディング信号５１０を送信することによって応答してもよい。ＡＰは、サウンディング信号を利用して、それぞれの局に対するチャネル情報を決定してもよく、これを使用して、引き続いてのＳＤＭＡ送信５１２を最適化してもよい。特定の実施形態に対して、ＣＴＳとサウンディングフレームは、図示したように、別個に保持されてもよく、このことは、これらのメッセージのフォーマットが、レガシー局と相互互換性可能となることを可能にする。
【００６１】
トレーニングの後で、ＡＰは、局に対してデータを送ってもよい。図示したように、ＡＰは、主チャネル上で、局１−４に対して、ＳＤＭＡ送信５１２を介して、同時にデータを送ってもよい。局１−３はすべて、チャネル４を確認しているので、ＡＰは、チャネル４上でＳＤＭＡ送信５１２を介して、これらの局に対してデータを送ってもよい。ＡＰは、（非−ＳＤＭＡ）送信５１４を介して、これら各チャネルを確認する唯一の局しかないので、局１に対してチャネル２上で、局３に対してチャネル３上で、データを送ってもよい。図示したように、局は、ブロック肯定応答（ＢＡ）５１６を介してデータの受信を肯定応答してもよい。特定の観点にしたがうと、ＢＡ５１６に対するスケジュールは、（ＳＤＭＡデータ送信５１２の）ＭＡＣヘッダ中で搬送されてもよい。図示したように、すべてのＳＤＭＡ局は、主チャネル上でのＵＬ  ＳＤＭＡ送信としてＢＡ５１６に応答してもよい。
【００６２】
図６は、ＳＤＭＡ送信をスケジュールする別の例を図示するタイミング図であり、ここで、複数の局のシンボル時間が整列されていることが仮定されている（例えば、複数の局から送られたシンボルは、連続的に整列されてＡＰに到着する）。ＡＰと局毎とのチャネル利用可能性に関しての、図６に対する他の仮定は、図５のものと同一である。
【００６３】
再び、ＡＰは、ＦＣＲＭ５０２を送り、これは特定の組のノードに対するマルチキャストメッセージであってもよく、ＡＰによって確認された空きチャネルに関しての情報を含んでいてもよい。シンボル時間整列によると、しかしながら、図５に示したように、少しずつ互いにずれたＣＴＳ５０４を送るというよりはむしろ、局は、同一のチャネル上で同時にＣＴＳメッセージ６０４を送ってもよい。図示したように、局１−４が主チャネル（チャネル１）上で、同時にＣＴＳメッセージ６０４を送る一方で、局１−３は、チャネル４上で、同時にＣＴＳメッセージ６０４を送る。局１と局３が、それぞれ、チャネル２とチャネル３上で、ＣＴＳメッセージ６０４を送る唯一の局である一方で、それらは、同時に送信してもよい。
【００６４】
図示したように、ＦＣＬメッセージ５０６を受信した後で、ＡＰによって送られたＴＲＱメッセージ５０８に応答して、同時のＣＴＳメッセージ６０４が再び送られてもよい。したがって、シンボル整列されたケースにおいて、少しずつ互いにずれたＣＴＳメッセージに対する必要性をなくすことによって、全体のトランザクション時間をかなり減らしてもよい。
【００６５】
上述した方法のさまざまな動作は、図面において図示されたミーンズプラスファンクションブロックに対応する、さまざまなハードウェアおよび／またはソフトウェアコンポーネント、ロジック、および／または、モジュールによって実行されてもよい。一般的に、図面中に図示した方法があるところには、対応する対になったものの片方であるミーンズプラスファンクション図を持つ任意の適切な手段があり、動作ブロックは、同様の番号を有するミーンズプラスファンクションブロックに対応している。例えば、図４に示した動作４１０−４８０は、図４Ａに示した手段４１０Ａ−４８０Ａによって実行されてもよい。
【００６６】
ここで使用されるように、用語“決定すること”は、幅広い動作を包含する。例えば、“決定すること”は、演算することや、計算することや、処理することや、導出することや、調査することや、ルックアップすること（例えば、表、データベース、または、別のデータ構造中をルックアップすること）や、確かめることや、類似物を含んでもよい。また、“決定すること”は、受信すること（例えば、情報を受信すること）や、アクセスすること（例えば、メモリ中でデータにアクセスすること）や、類似物を含んでもよい。また、“決定すること”は、解決することや、選択することや、選ぶことや、確立することや、類似物を含んでもよい。
【００６７】
さまざまな異なる技術および技法の何らかのものを使用して、情報および信号を表してもよい。例えば、上の説明全体を通して参照された、データ、命令、コマンド、情報、信号、および類似物は、電圧、電流、電磁波、磁界または磁気の粒子、光学界または光の粒子、あるいはこれらの何らかの組み合わせにより、表してもよい。
【００６８】
ここでの開示に関連して述べた、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能手段（ＰＬＤ）デバイス、ディスクリートゲートまたはトランジスタ手段、ディスクリートハードウェアコンポーネント、あるいは、ここで述べてきた機能を実施するために設計されたこれらの組み合わせで、実現されるか、あるいは、実施されてもよい。汎用プロセッサはマイクロプロセッサであってもよいが、代替実施形態では、プロセッサは、何らかの商業的に利用可能なプロセッサ、制御装置、マイクロ制御装置、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【００６９】
ここでの開示に関連して述べた方法またはアルゴリズムのステップは、直接、ハードウェアで、プロセッサにより実行されるソフトウェアモジュールで、あるいは、２つの組み合わせで具体化してもよい。ソフトウェアモジュールは、ＲＡＭメモリ、ＲＯＭメモリ、フラッシュメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在していてもよい。ソフトウェアモジュールは、単一の命令、数多くの命令からなってもよく、異なるプログラムにわたって、そして、複数の記憶媒体にわたって、いくつかの異なるコードセグメントに分散されていてもよい、記憶媒体は、プロセッサが記憶媒体から情報を読み取り、記憶媒体に情報を書き込むことができるようにプロセッサに結合される。代替実施形態では、記憶媒体はプロセッサと一体化されてもよい。
【００７０】
ここで説明した方法は、説明した方法を達成するための１つ以上のステップまたはアクションを含む。方法のステップおよび／またはアクションは、特許請求の範囲を逸脱することなく、相互交換されてもよい。言い換えると、ステップまたはアクションの特定の順序が指定されない限り、特定のステップおよび／またはアクションの順序および／または使用は、特許請求の範囲から逸脱することなく修正されてもよい。
【００７１】
説明した機能を、ハードウェアや、ソフトウェアや、ファームウェアや、または、これらの任意の組み合わせによって実現してもよい。ソフトウェアで実現される場合、機能を、コンピュータ読取可能媒体中の１つ以上の命令として記憶させてもよい。記憶媒体は、コンピュータによってアクセスされることができる任意の利用可能な媒体であってもよい。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。
【００７２】
ソフトウェアまたは命令はまた、送信媒体を通して送信されてもよい。例えば、ソフトウェアが、ウェブサイト、サーバ、または、他の遠隔源から、同軸ケーブル、光ファイバーケーブル、撚線対、デジタル加入者回線（ＤＳＬ）、または、赤外線、無線、マイクロウェーブのようなワイヤレス技術を使用して送られる場合、同軸ケーブル、光ファイバーケーブル、撚線対、ＤＳＬ、または、赤外線、無線、マイクロウェーブのようなワイヤレス技術は、送信媒体の定義に含まれるものとする。
【００７３】
さらに、ここで記述した方法および技術を実行するためのモジュールおよび／または他の適切な手段は、ユーザ端末および／または基地局によって、適用可能なように、ダウンロードされることができ、および／または、そうでなければ取得できる。例えば、このようなデバイスは、サーバに結合されて、ここで記述した方法を実行するための手段の転送を容易にすることができる。代わりに、ここで記述したさまざまな方法は、ユーザ端末および／または基地局が、記憶手段をデバイスに対して結合させる際、または、提供する際に、さまざまな方法を取得できるように、記憶手段（例えば、ＲＡＭ、ＲＯＭ、コンパクトディスク（ＣＤ）もしくはフロッピーディスク等のような物理的記憶媒体）を介して提供されてもよい。さらに、ここで記述した方法と技術をデバイスに対して提供するための、他の何らかの適切な技術を利用できる。
【００７４】
特許請求の範囲は、上に記述した厳密な構成とコンポーネントに制限されていないことを理解すべきである。特許請求の範囲から逸脱することなく、上記の配置、動作、および、方法と装置の詳細において、さまざまな修正、変更、および変形を行ってもよい。  
以下に、本願出願の当初の特許請求の範囲に記載された発明を付記する。
［１］マルチチャネルワイヤレス通信システム中で、パケット送信をスケジューリングする方法において、
空間分割多元接続（ＳＤＭＡ）スキームを介して、複数のワイヤレスネットワークノードと同時に通信するために利用可能なチャネルの識別を受信することと、
前記チャネルの識別に基づいて、前記ワイヤレスネットワークノードに対するパケット送信のためのスケジュールを決定することと、
前記スケジュールにしたがって、前記ＳＤＭＡスキームを介して、少なくともいくつかの前記ワイヤレスネットワークノードに対して同時に、ダウンリンクパケットを送信することと
を含む方法。
［２］前記複数のワイヤレスネットワークノードに対して、前記ワイヤレスネットワークノードと通信するために利用可能なチャネルの識別に対する要求メッセージを送ることと、
前記要求メッセージに応答して、前記複数のワイヤレスネットワークノードと通信するために利用可能なチャネルの識別を受信することと
を含む、上記［１］の方法。
［３］前記要求メッセージは、複数のワイヤレスネットワークノードに対する、マルチキャストメッセージとブロードキャストメッセージとのうちの少なくとも１つを含む、上記［２］の方法。
［４］前記要求メッセージは、複数のワイヤレスノードが、時間的に互いにずれた応答で、前記マルチキャストメッセージに応答すべきであることを示す情報を含む、上記［３］の方法。
［５］前記要求メッセージは、少なくともいくつかの前記複数のワイヤレスノードが同時に、前記マルチキャストメッセージに応答すべきであることを示す情報を含む、上記［３］の方法。
［６］アップリンクＳＤＭＡ送信として、単一の主通信チャネル上で同時に、複数のノードからの利用可能なチャネルのリストを受信することをさらに含む、上記［１］の方法。
［７］前記ＳＤＭＡスキームを介して、少なくともいくつかの前記ワイヤレスネットワークノードに対して、ダウンリンクパケットを同時に送信することは、少なくとも１つの前記ノードに対するダウンリンクパケットを、複数のチャネル上で同時に送信することを含む、上記［１］の方法。
［８］複数のノードからの肯定応答メッセージを、アップリンクＳＤＭＡ送信として、単一の主通信チャネル上で同時に受信することをさらに含む、上記［１］の方法。
［９］マルチチャネルワイヤレス通信システム中で、パケット送信を交換する方法において、
アップリンク空間分割多元接続（ＳＤＭＡ）送信として、ワイヤレスネットワークノードと通信するために利用可能な１つ以上のチャネルの識別を送ることと、
少なくとも１つの識別された通信チャネル上で、ダウンリンクＳＤＭＡ送信を受信することと
を含む方法。
［１０］前記ワイヤレスネットワークノードと通信するために利用可能な１つ以上のチャネルの識別を要求する要求メッセージを受信することをさらに含む、上記［９］の方法。
［１１］前記要求は、複数のワイヤレスネットワークノードに送信される、マルチキャストメッセージおよびブロードキャストメッセージのうちの少なくとも１つを含む、上記［１０］の方法。
［１２］前記要求メッセージは、少なくともいくつかの前記複数のワイヤレスノードが同時に、前記マルチキャストメッセージに応答すべきであることを示す情報を含む、上記［１０］の方法。
［１３］前記要求メッセージは、複数のワイヤレスノードが、時間的に互いにずれた応答で、前記要求メッセージに応答すべきであることを示す情報を含む、上記［１０］の方法。
［１４］前記要求メッセージは、単一の主通信チャネル上で送られるべき、複数のノードからのチャネルの識別を示す、上記［１０］の方法。
［１５］１つ以上のＩＥＥＥ８０２．１１系の標準規格と互換性のあるフォーマットを有している送信可（ＣＴＳ）メッセージで、前記要求メッセージに応答することをさらに含む、上記［１０］の方法。
［１６］マルチチャネルワイヤレスネットワーク中で、パケット送信をスケジューリングする方法において、
複数のワイヤレスネットワークノードと通信するために、利用可能なチャネルの識別を受信することと、
前記チャネルの識別に基づいて、前記ワイヤレスネットワークノードに対するパケット送信のためのスケジュールを決定することと、
前記ワイヤレスネットワークノードに前記スケジュールを通信することと
を含む方法。
［１７］マルチチャネルワイヤレスネットワーク中で、パケット送信を交換する方法において、
前記ワイヤレスネットワークと通信するために、利用可能な１つ以上のチャネルの識別を送ることと、
前記チャネルの識別に基づいて発生された、前記ワイヤレスネットワークと通信するためのスケジュールを受信することと、
前記スケジュールにしたがって、前記ワイヤレスネットワークと通信することと
を含む方法。
［１８］マルチチャネルワイヤレス通信システム中で、パケット送信をスケジューリングする装置において、
空間分割多元接続（ＳＤＭＡ）スキームを介して、複数のワイヤレスネットワークノードと同時に通信するために利用可能なチャネルの識別を受信する手段と、
前記チャネルの識別に基づいて、前記ワイヤレスネットワークノードに対するパケット送信のためのスケジュールを決定する手段と、
前記スケジュールにしたがって、前記ＳＤＭＡスキームを介して、少なくともいくつかの前記ワイヤレスネットワークノードに対して同時に、ダウンリンクパケットを送信する手段と
を具備する装置。
［１９］前記複数のワイヤレスネットワークノードに対して、前記ワイヤレスネットワークノードと通信するために利用可能なチャネルの識別に対する要求メッセージを送る手段をさらに具備する、上記［１８］の装置。
［２０］前記要求メッセージは、複数のワイヤレスネットワークノードに対する、マルチキャストメッセージとブロードキャストメッセージとのうちの少なくとも１つを含む、上記［１９］の装置。
［２１］前記要求メッセージは、複数のワイヤレスノードが、時間的に互いにずれた応答で、前記マルチキャストメッセージに応答すべきであることを示す情報を含む、上記［２０］の装置。
［２２］前記要求メッセージは、少なくともいくつかの前記複数のワイヤレスノードが同時に、前記マルチキャストメッセージに応答すべきであることを示す情報を含む、上記［２０］の装置。
［２３］アップリンクＳＤＭＡ送信として、単一の主通信チャネル上で同時に、複数のノードからの利用可能なチャネルのリストを受信する手段をさらに具備する、上記［１８］の装置。
［２４］前記ＳＤＭＡスキームを介して、少なくともいくつかの前記ワイヤレスネットワークノードに対して、ダウンリンクパケットを同時に送信する手段は、少なくとも１つの前記ノードに対するダウンリンクパケットを、複数のチャネル上で同時に送信するように構成されている、上記［１８］の装置。
［２５］複数のノードからの肯定応答メッセージを、アップリンクＳＤＭＡ送信として、単一の主通信チャネル上で同時に受信する手段をさらに具備する、上記［１８］の装置。
［２６］マルチチャネルワイヤレス通信システム中で、パケット送信を交換する装置において、
アップリンク空間分割多元接続（ＳＤＭＡ）送信として、ワイヤレスネットワークノードと通信するために利用可能な１つ以上のチャネルの識別を送る手段と、
少なくとも１つの識別された通信チャネル上で、ダウンリンクＳＤＭＡ送信を受信する手段と
を具備する装置。
［２７］前記ワイヤレスネットワークノードと通信するために利用可能な１つ以上のチャネルの識別を要求する要求メッセージを受信する手段をさらに具備する、上記［２６］の装置。
［２８］前記要求は、複数のワイヤレスネットワークノードに送信される、マルチキャストメッセージおよびブロードキャストメッセージのうちの少なくとも１つを含む、上記［２７］の装置。
［２９］前記要求メッセージは、少なくともいくつかの前記複数のワイヤレスノードが同時に、前記マルチキャストメッセージに応答すべきであることを示す情報を含む、上記［２７］の装置。
［３０］前記要求メッセージは、複数のワイヤレスノードが、時間的に互いにずれた応答で、前記要求メッセージに応答すべきであることを示す情報を含む、上記［２７］の装置。
［３１］前記要求メッセージは、単一の主通信チャネル上で送られるべき、複数のノードからのチャネルの識別を示す、上記［２７］の装置。
［３２］１つ以上のＩＥＥＥ８０２．１１系の標準規格と互換性のあるフォーマットを有している送信可（ＣＴＳ）メッセージで、前記要求メッセージに応答する手段をさらに具備する、上記［２７］の装置。
［３３］マルチチャネルワイヤレスネットワーク中で、パケット送信をスケジューリングする装置において、
複数のワイヤレスネットワークノードと通信するために、利用可能なチャネルの識別を受信する手段と、
前記チャネルの識別に基づいて、前記ワイヤレスネットワークノードに対するパケット送信のためのスケジュールを決定する手段と、
前記ワイヤレスネットワークノードに前記スケジュールを通信する手段と
を具備する装置。
［３４］マルチチャネルワイヤレスネットワーク中で、パケット送信を交換する装置において、
前記ワイヤレスネットワークと通信するために、利用可能な１つ以上のチャネルの識別を送る手段と、
前記チャネルの識別に基づいて発生された、前記ワイヤレスネットワークと通信するためのスケジュールを受信する手段と、
前記スケジュールにしたがって、前記ワイヤレスネットワークと通信する手段と
を具備する装置。
［３５］マルチチャネルワイヤレス通信システム中で、パケット送信をスケジューリングする装置において、
空間分割多元接続（ＳＤＭＡ）スキームを介して、複数のワイヤレスネットワークノードと同時に通信するために利用可能なチャネルの識別を受信するように構成されている受信機と、
前記チャネルの識別に基づいて、前記ワイヤレスネットワークノードに対するパケット送信のためのスケジュールを決定するように構成されているスケジューラと、
前記スケジュールにしたがって、前記ＳＤＭＡスキームを介して、少なくともいくつかの前記ワイヤレスネットワークノードに対して同時に、ダウンリンクパケットを送信するように構成されている送信機と
を具備する装置。
［３６］マルチチャネルワイヤレス通信システム中で、パケット送信を交換する装置において、
アップリンク空間分割多元接続（ＳＤＭＡ）送信として、ワイヤレスネットワークノードと通信するために利用可能な１つ以上のチャネルの識別を送るように構成されている送信機と、
少なくとも１つの識別された通信チャネル上で、ダウンリンクＳＤＭＡ送信を受信するように構成されている受信機と
を具備する装置。
［３７］マルチチャネルワイヤレスネットワーク中で、パケット送信をスケジューリングする装置において、
複数のワイヤレスネットワークノードと通信するために、利用可能なチャネルの識別を受信するように構成されている受信機と、
前記チャネルの識別に基づいて、前記ワイヤレスネットワークノードに対するパケット送信のためのスケジュールを決定するように構成されているスケジューラと、
前記ワイヤレスネットワークノードに前記スケジュールを通信するように構成されている送信機と
を具備する装置。
［３８］マルチチャネルワイヤレスネットワーク中で、パケット送信を交換する装置において、
前記ワイヤレスネットワークと通信するために、利用可能な１つ以上のチャネルの識別を送るように構成されている送信機と、
前記チャネルの識別に基づいて発生された、前記ワイヤレスネットワークと通信するためのスケジュールを受信するように構成されている受信機と、
前記スケジュールにしたがって、前記ワイヤレスネットワークと通信するように構成されているロジックと
を具備する装置。
［３９］記憶されている命令を有しているコンピュータ読取可能媒体を備える、マルチチャネルワイヤレスネットワーク中で、パケット送信をスケジューリングするためのコンピュータプログラム製品において、
前記命令は、１つ以上のプロセッサによって実行可能であり、前記命令は、
複数のワイヤレスネットワークノードと通信するために、利用可能なチャネルの識別を受信させ、
前記チャネルの識別に基づいて、前記ワイヤレスネットワークノードに対するパケット送信のためのスケジュールを決定させ、
前記ワイヤレスネットワークノードに前記スケジュールを通信させる
ための命令を含むコンピュータプログラム製品。
［４０］記憶されている命令を有しているコンピュータ読取可能媒体を備える、マルチチャネルワイヤレスネットワーク中で、パケット送信を交換するためのコンピュータプログラム製品において、
前記命令は、１つ以上のプロセッサによって実行可能であり、前記命令は、
前記ワイヤレスネットワークと通信するために、利用可能な１つ以上のチャネルの識別を送信させ、
前記チャネルの識別に基づいて発生された、前記ワイヤレスネットワークと通信するためのスケジュールを受信させ、
前記スケジュールにしたがって、前記ワイヤレスネットワークと通信させる
ための命令を含むコンピュータプログラム製品。
［４１］記憶されている命令を有しているコンピュータ読取可能媒体を備える、マルチチャネルワイヤレスネットワーク中で、パケット送信をスケジューリングするためのコンピュータプログラム製品において、
前記命令は、１つ以上のプロセッサによって実行可能であり、前記命令は、
複数のワイヤレスネットワークノードと通信するために、利用可能なチャネルの識別を受信させ、
前記チャネルの識別に基づいて、前記ワイヤレスネットワークノードに対するパケット送信のためのスケジュールを決定させ、
前記ワイヤレスネットワークノードに前記スケジュールを通信させる
ための命令を含むコンピュータプログラム製品。
［４２］記憶されている命令を有しているコンピュータ読取可能媒体を備える、マルチチャネルワイヤレスネットワーク中で、パケット送信を交換するためのコンピュータプログラム製品において、
前記命令は、１つ以上のプロセッサによって実行可能であり、前記命令は、
前記ワイヤレスネットワークと通信するために、利用可能な１つ以上のチャネルの識別を送信させ、
前記チャネルの識別に基づいて発生された、前記ワイヤレスネットワークと通信するためのスケジュールを受信させ、
前記スケジュールにしたがって、前記ワイヤレスネットワークと通信させる
ための命令を含むコンピュータプログラム製品。
【図１】
0005512679.tif 000002
【図２】
0005512679.tif 000003
【図３】
0005512679.tif 000004
【図４】
0005512679.tif 000005
【図４Ａ】
0005512679.tif 000006
【図５】
0005512679.tif 000007
【図６】
0005512679.tif 000008